(57)【要約】【課題】ユーザが新たに地点情報を入力するときに、簡易に、文字入力ができ、自動で地図上に表示されるアイコンを決定し、地点情報の位置登録も簡易にできるナビゲーション装置を提供することを目的とするものである。【解決手段】ペンタブレットやタッチパネルで構成される文字入力部１から入力される文字画像データから得られたテキストデータを参照し、該当するアイコンをアイコンデータベース部３から検出する。地点情報メモリ部４に前記テキストデータと前記アイコンを保存し、前記アイコンを表示部５に表示させる。前記アイコンはユーザにより文字入力部１を用いて表示部５に表示された地図上にドラッグアンドドロップされ、移動先を地点位置座標として地点情報メモリ部にあわせて保存することで地点情報の登録ができる。【選択図】図１
2012194018.tif 000002
【特許請求の範囲】
【請求項１】
地点情報と地図情報とを表示する表示部と、手書きの文字情報である地点情報およびドラッグアンドドロップ操作が入力される文字入力部と、前記文字入力部から入力された文字画像データをテキストデータに変換して出力するテキストデータ変換部と、複数のテキストデータとアイコンとが紐付けて記憶されたアイコンデータベース部と、前記テキストデータおよび前記アイコンを保存する地点情報メモリ部と、前記テキストデータ変換部から出力されたテキストデータと該テキストデータに紐付けされた前記アイコンデータベース部に記憶されたアイコンとを紐付けて前記地点情報メモリ部に保存する制御部とを備え、
前記制御部は、前記アイコンを前記表示部に表示させて操作者による該アイコンのドラッグアンドドロップ操作が完了すると該アイコンの移動先の位置の確認ウィンドウを表示させ、操作者による確認操作後にドラッグアンドドロップ操作によって移動された先の地図座標データを前記地点情報メモリ部に保存し、前記表示部に表示されている地図情報の縮尺に応じて、前記地点情報を前記地点情報メモリ部に保存されているテキストデータまたはアイコンで前記表示部に表示することを特徴とするナビゲーション装置。
【請求項２】
前記制御部は、前記表示部に表示された地図が広域地図の場合、ドラッグアンドドロップされた位置周辺の詳細地図を前記表示部に表示させることを特徴とする請求項１に記載のナビゲーション装置。
【発明の詳細な説明】
【技術分野】
【０００１】
本発明は、メモリ地点登録のための地点情報をユーザにより入力可能なナビゲーション装置に関する。
【背景技術】
【０００２】
従来よりナビゲーション装置はシステムを制御するマイコン、表示装置、ＧＰＳ受信機、地磁気センサ、地図データベース、地点データベース、地点名や地図座標などで構成される地点情報を入力するための入力装置などから構成される。ユーザは新たな地点情報を地点データベースに登録する場合は地図上のある地点に対して入力装置を用いて地点情報を入力する必要がある。
【０００３】
ユーザが所望の地点名とその地点名に関連した電話番号や住所などをナビゲーション装置に登録する技術として、小型カメラを用いて、地点名や、地点の住所を表す地点位置情報、電話番号などで構成される地点情報が記載された雑誌を撮影し、文字認識（ＯＣＲ等）により撮影された画像内の文字を検出し、認識することで、登録したい地点情報を容易に登録する方法がある（例えば特許文献１参照）。
【先行技術文献】
【特許文献】
【０００４】
【特許文献１】特開２００６−３８５５７号公報
【発明の概要】
【発明が解決しようとする課題】
【０００５】
しかしながら、新規に地点情報を登録をする際に地点名、地点位置情報、地図上に表示されるアイコンで構成される地点情報の入力時において、表示装置に５０音順に並べられ表示された文字を１文字ずつ選択する従来の方法では、ユーザの操作量が多くなる。
【０００６】
また、カメラによる文字認識技術では明るい環境に撮影対象があることが必要となる。さらに、地図上に表示されるアイコンをユーザが選択する必要がある。
【０００７】
本発明は上記事情を鑑みてなされたもので、その目的は、ユーザが新たに地点情報を登録するときに、簡易に、文字入力ができ、自動で地図上に表示されるアイコンを決定し、しかも地点位置情報の設定も容易にできるナビゲーション装置を提供するにある。
【課題を解決するための手段】
【０００８】
本発明によるナビゲーション装置は、地点情報と地図情報とを表示する表示部と、手書きの文字情報である地点情報およびドラッグアンドドロップ操作が入力される文字入力部と、前記文字入力部から入力された文字画像データをテキストデータに変換して出力するテキストデータ変換部と、複数のテキストデータとアイコンとが紐付けて記憶されたアイコンデータベース部と、前記テキストデータおよび前記アイコンを保存する地点情報メモリ部と、前記テキストデータ変換部から出力されたテキストデータと該テキストデータに紐付けされた前記アイコンデータベース部に記憶されたアイコンとを紐付けて前記地点情報メモリ部に保存する制御部とを備え、前記制御部は、前記アイコンを前記表示部に表示させて操作者による該アイコンのドラッグアンドドロップ操作が完了すると該アイコンの移動先の位置の確認ウィンドウを表示させ、操作者による確認操作後にドラッグアンドドロップ操作によって移動された先の地図座標データを前記地点情報メモリ部に保存し、前記表示部に表示されている地図情報の縮尺に応じて、前記地点情報を前記地点情報メモリ
部に保存されているテキストデータまたはアイコンで前記表示部に表示する構成を有するものである。
【発明の効果】
【０００９】
本発明によれば、ユーザは文字入力部で容易に地点名とその地点名を表現するアイコンと地点位置情報で構成される地点情報を地点情報メモリ部に登録でき、文字入力部は周囲環境の明るさに影響を受けない。
【図面の簡単な説明】
【００１０】
【図１】本発明の実施の形態におけるナビゲーション装置のブロック図
【図２】アイコンデータベース部に格納されているテキストデータとアイコンのイメージ図
【図３】本発明の実施の形態の動作説明のためのフローチャート
【図４】手書き入力された地点名が表示される文字入力ウィンドウと地点名の手書き入力が完了した際にクリックされる地点名入力完了ボタンの表示例を示す図
【図５】アイコンを所定の位置にドラッグアンドドロップするよう要求するウィンドウの表示例を示す図
【図６】ドラッグアンドドロップされた位置の確認を行うウィンドウの表示例を示す図
【図７】パネルサイズに応じた広域地図と詳細地図の縮尺の一例を示す図
【図８】地点情報メモリ図に登録された地点情報を地図の縮尺に応じて表示情報を切り替える動作説明のためのフローチャート
【発明を実施するための形態】
【００１１】
以下本発明の一実施例について、図面を参照しながら説明する。図１は本発明の実施の形態におけるナビゲーション装置のブロック図であり、文字入力部１、テキストデータ変換部２、アイコンデータベース部３、地点情報メモリ部４、表示部５、地図データベース部６、制御部７、ＲＯＭ９、ＲＡＭ８、ＧＰＳ受信機１０、地磁気センサ１１からなるナビゲーション装置１２である。
【００１２】
文字入力部１はユーザが地点名や地点位置座標を入力する際に用いるものであり、例えばペンタブレットやタッチパネル等から構成される。ユーザが手書き入力した地点名は画像データとしてテキストデータ変換部２に出力される。
【００１３】
また、後で説明するようなアイコンのドラッグアンドドロップにより地点位置情報を決定する際にはドラッグアンドドロップしたことを制御部７に出力する。
【００１４】
テキストデータ変換部２は文字認識機能を有し、文字入力部１から出力された画像データをその機能によりパターン認識することで、ひらがな、漢字、カタカナ、アルファベット、数字などから構成されるテキストデータに変換し、変換されたテキストデータを制御部７に出力する。
【００１５】
アイコンデータベース部３は１つのアイコンに対し複数のテキストデータが紐付けされたデータベースである。例えば、「スーパーマーケット」、「スーパー」、「デパート」等のテキストデータ群に対してそれらテキストデータ群を表現する１つのアイコンデータが紐付けされている。
【００１６】
図２はアイコンデータベースに格納されているテキストデータとアイコンデータの一例を示す図である。
【００１７】
制御部７はテキストデータ変換部２から出力されたテキストデータをもとにアイコンデ
ータベース部３を参照し、そのテキストデータに紐付けされているアイコンを取得する。
【００１８】
地点情報メモリ部４には制御部７により、テキストデータ変換部２から出力されるテキストデータと、アイコンデータベース部３から取得されたアイコンを、１対のデータとして保存される。
【００１９】
また、後で説明するように制御部７は地点情報メモリ部４に、アイコンのドラッグアンドドロップにより決定された地点位置情報と、地点情報メモリ部４に保存されているドラッグされたアイコンとテキストデータからなる１対のデータとを、地点情報として併せて地点情報メモリ部４に保存する。
【００２０】
制御部７はマイクロプロセッサおよびその周辺回路からなり、ＲＡＭ８を作業エリアとして、ＲＯＭ９に格納された制御プログラムを実行することにより、各種の処理や制御を行う。
【００２１】
ＧＰＳ受信機１０はＧＰＳ用の人工衛星からの送信電波に基づいてナビゲーション装置の位置を検出（測位）するＧＰＳ（Global Positioning System）のための受信機であり、また地磁気センサ１１はナビゲーション装置の方位を検出する。
【００２２】
以上のように構成された本発明の一実施例について以下に地点情報を登録する際の動作を示す。図３は新たに地点情報を登録する際のフローチャートを示す。
【００２３】
まず、ステップＳ０１においてユーザが新たに地点情報を登録をするとき、文字入力部１はユーザから地点名入力ウィンドウ１４への地点名の入力を受け付ける。
【００２４】
次にステップＳ０２においてユーザによる地点名の入力が完了し、地点名入力完了ボタン１３がクリックされた場合は、文字入力部からテキストデータ変換部へ地点名で構成される地点情報が描かれた画像データが入力される。
【００２５】
これにより、従来の５０音順に並べられた平仮名から１文字ずつユーザが選択し地点名を入力する場合に比べ手間を軽減したり、周囲の明るさに左右されること無く地点名を入力することが可能になる。
【００２６】
手書き入力された地点名が表示される文字入力ウィンドウと地点名の手書き入力が完了した際にクリックされる地点名入力完了ボタンの表示例を図４に示す。
【００２７】
ステップＳ０３では、テキストデータ変換部２へ入力された画像データがひらがな、カタカナ、漢字、アルファベット、数字などから構成されるテキストデータに変換された後、変換されたテキストデータは制御部７に出力される。
【００２８】
次に、ステップＳ０４において制御部７はテキストデータ変換部２から出力されたテキストデータを参照して、アイコンデータベース部３においてそのテキストデータに紐付けられているアイコンを取得する。
【００２９】
アイコンデータベース部３は図２に示すように例えば、「スーパーマーケット」、「スーパー」、「デパート」などのテキストデータ群に対して、それらテキストデータ群を表現するひとつのアイコンが紐付けされているデータベースである。
【００３０】
例えばテキストデータ変換部２から出力されたテキストデータが「スーパーマーケット」である場合、それに紐付けされているアイコンがアイコンデータベース部３から取得さ
れる。
【００３１】
ステップＳ０５では制御部７はアイコンデータベース部３から取得されたアイコンとそのアイコンを取得する際に用いたテキストデータとを１対のデータとして地点情報メモリ部４に保存する。
【００３２】
地点情報メモリ部４に新たに保存されたアイコンとテキストデータは続いてステップＳ０６において、例えば図５に示すように表示部５にアイコン１５が表示され、さらに制御部７はアイコン１５をユーザの所望の位置に移動するよう要求するメッセージウィンドウである移動要求メッセージウィンド１６を表示部５に表示させる。
【００３３】
次に、ステップＳ０７に移り制御部７は、ユーザが文字入力部１を用いてアイコン１５を地図上にドラッグアンドドロップ操作を実行したかどうか、を検出する。
【００３４】
次にステップＳ０８に移行しドラッグアンドドロップ先の地図の縮尺が広域地図であった場合、ステップＳ０９に移行し、制御部７はドラッグアンドドロップされたアイコン１５の周辺詳細地図を表示する。
【００３５】
これによりユーザは、広域地図上にドラッグアンドドロップされたアイコン１５の移動先がユーザの所望の移動先と同じかをより正確に判断することができる。次にステップＳ１０に移行し、制御部７はアイコンの移動先の位置についてユーザの所望の位置かを確認する「はい」または「いいえ」のどちらかを選択できる位置確認メッセージウィンドウ１７を表示部５に表示させる。
【００３６】
一方、アイコン１５がドラッグアンドドロップされた先の地図の縮尺が詳細地図の場合は、そのままステップＳ１０に移行し前述のアイコンの移動先の位置確認ウィンドウ１７を表示させる。
【００３７】
図６に位置確認メッセージウィンドウ１７の一例を示す。ユーザが「はい」を選択した場合は、ステップＳ１１に移行しドラッグアンドドロップで操作されたアイコンの移動先の位置が地点情報メモリ部４に登録され、ステップＳ１２に移りテキストデータ、アイコン、地点位置情報から構成される地点情報の登録が完了となる。
【００３８】
「いいえ」を選択した場合は制御部７が再度、アイコン１５をドラッグアンドドロップするよう表示部５に移動要求メッセージウィンド１６を表示する。このようにドラッグアンドドラッグによる地点位置情報の設定方法を用いることで、ユーザが登録したい地点位置情報を容易に設定できる。
【００３９】
ここでは仮に、表示部５の表示面の大きさを７インチとし縮尺が５０ｍ以下の場合を詳細地図とし、５０ｍより大きい場合を広域地図とするが、実際は表示部５の表示面の大きさが８インチであれば１００ｍ以下の場合を詳細地図とし、１００ｍより大きい場合は広域地図としたり、表示部５の表示面の大きさが６インチであれば２５ｍ以下の場合を詳細地図とし、２５ｍより大きい場合は広域地図としたりする。
【００４０】
表示部５の表示面の大きさによる広域地図、詳細地図の定義の変化の一例を図７に示す。
【００４１】
つぎに、上記のように既に地点情報メモリ部４に登録された地点情報を表示部５に表示する場合の処理動作を図８に示す。
【００４２】
ステップＳ１３において表示部５に表示された地図が詳細地図であれば、ステップＳ１４に移行し地点情報メモリ部４に保存されているテキストデータをそのテキストデータとあわせて保存されている地点位置情報に準ずる位置に表示させる。
【００４３】
一方、表示部５に表示された地図が広域地図であれば、ステップＳ１５に移行し地点情報メモリ部４に保存されたアイコンをそのアイコンと併せて保存されている地点位置情報に準ずる位置に表示させる。
【００４４】
これにより、ユーザがその地図座標にどのような地点情報を登録したかをより明確に認識させることができる。
【００４５】
また、広域地図では地点情報メモリ部４に保存されたアイコンが表示されることで、広域地図表示の場合に地点情報メモリ部４に保存されたテキストデータを表示させる場合よりも視認性が向上する。
【００４６】
以上説明したとおり、本発明によりユーザは文字入力部を用いて、周囲の明るさに影響を受けることなく、アイコンに対しドラッグアンドドロップ操作を行うことで容易に地点位置情報の設定ができる。
【００４７】
また、テキストデータとアイコンの表示切替により地図上に表示された地点情報の視認性は向上する。
【００４８】
本発明によれば、ユーザは新たに地点登録をする際に、文字入力部（タッチパネルやペンタブレットなど）から手書きで地点情報を入力し、入力された手書き文字情報から取得されたアイコンをドラッグアンドドロップすることで地点情報の地図座標を決定することができる。
【００４９】
したがって、ユーザは文字入力部で容易に地点名とその地点名を表現するアイコンと地点位置情報で構成される地点情報を地点情報メモリ部に登録でき、文字入力部は周囲環境の明るさに影響を受けない。
【産業上の利用可能性】
【００５０】
本発明の地点登録手法は、ナビゲーション装置として有用である。
【符号の説明】
【００５１】
１  文字入力部
２  テキストデータ変換部
３  アイコンデータベース部
４  地点情報メモリ部
５  表示部
６  地図データベース部
７  制御部
８  ＲＡＭ
９  ＲＯＭ
１０  ＧＰＳ受信機
１１  地磁気センサ
１２  ナビゲーション装置
１３  地点名入力完了ボタン
１４  地点名入力ウィンドウ
１５  アイコン
１６  移動要求メッセージウィンド
１７  位置確認メッセージウィンドウ
【図１】
2012194018.tif 000003
【図２】
2012194018.tif 000004
【図３】
2012194018.tif 000005
【図４】
2012194018.tif 000006
【図５】
2012194018.tif 000007
【図６】
2012194018.tif 000008
【図７】
2012194018.tif 000009
【図８】
2012194018.tif 000010